(57)【要約】      （修正有）【課題】電極クリップを市販の複数サイズの電極リンカーにフィットさせ、接続を強固にすることができ、信号伝送の安定性を確保できる、心電装置用ＥＣＧケーブルを提供する。【解決手段】電極クリップ、カバー２００、及び接続線３００を含むＥＣＧケーブルであって、電極クリップは、接続部材、左電極１２０及び右電極１３０を含む。左電極１２０と右電極１３０とが積層配置され、電極リンカーが貫通するための収容孔１０１が形成され、左電極１２０及び右電極１３０のうち少なくとも１つが弾性材料を用いて作製され、及び／又は弾性部材によって駆動され、左電極１２０及び右電極１３０が外力によって相対移動することで収容孔１０１が拡大し、且つ弾性力によって相対移動することで収容孔１０１が縮小する。収容孔１０１の大きさを変化させることができるため、複数サイズの電極リンカーにフィットする。【選択図】図２
0003231644.tif 000002
【実用新案登録請求の範囲】
【請求項１】
電極クリップと、カバーと、接続線とを備えたＥＣＧケーブルであって、
前記電極クリップは、接続部材、左電極及び右電極を含み、前記左電極及び前記右電極のうち少なくとも１つは接続部材に接続され、前記左電極及び前記右電極が積層して配置されることによって、電極リンカーが貫通するための収容孔が形成され、前記左電極及び前記右電極のうち少なくとも１つが弾性材料を用いて作製され、及び／又は弾性部材によって駆動され、前記左電極及び前記右電極が外力によって相対移動することで収容孔を拡大し、且つ弾性力によって相対移動することで収容孔を縮小し、電極リンカーをクランプし、
前記カバーは、電極クリップの外部を包み、前記左電極の少なくとも一部と前記右電極の少なくとも一部とはカバーから露出し、
前記接続線は、電極クリップの接続部材と電気的に接続され、電気信号を伝送するＥＣＧケーブル。
【請求項２】
前記左電極と前記右電極とはシート状構造を採用し、前記左電極は第１貫通孔を有し、前記右電極は第２貫通孔を有し、前記第１貫通孔と第２貫通孔とは位置ずれするように積層して配置され、前記第１貫通孔と第２貫通孔とを部分的に重ならせ、重なった部分に収容孔が形成されていることを特徴とする請求項１に記載のＥＣＧケーブル。
【請求項３】
前記左電極と前記右電極とは線状構造を採用していることを特徴とする請求項１に記載のＥＣＧケーブル。
【請求項４】
前記左電極及び前記右電極の線状構造はそれぞれＵ字型を形成し、前記左電極のＵ字型と前記右電極のＵ字型とは底部は互いにずれるように底部が内側に向かって積層して配置されることによって、前記収容孔を形成していることを特徴とする請求項３に記載のＥＣＧケーブル。
【請求項５】
前記電極クリップは第１位置決め構造を有し、前記第１位置決め構造は、収容孔を小さくする方向における前記左電極及び前記右電極の相対移動を阻止することによって、前記収容孔の最小空間を規定するために用いられることを特徴とする請求項１−４のいずれか一項に記載のＥＣＧケーブル。
【請求項６】
前記第１位置決め構造は前記左電極又は前記右電極に配置された第１凸部を含み、前記第１凸部は、前記右電極又は前記左電極の移動経路に対応して配置されていることを特徴とする請求項５に記載のＥＣＧケーブル。
【請求項７】
前記電極クリップは第２位置決め構造を有し、前記第２位置決め構造は、収容孔を大きくする方向における前記左電極及び／又は前記右電極の移動を阻止することによって、収容孔の最大空間を規定するために用いられることを特徴とする請求項１−６のいずれか一項に記載のＥＣＧケーブル。
【請求項８】
前記第２位置決め構造は前記左電極又は前記右電極に配置された第２凸部を含み、前記第２凸部は、前記右電極又は前記左電極の移動経路に対応して配置されていることを特徴とする請求項７に記載のＥＣＧケーブル。
【請求項９】
前記左電極と前記右電極とはシート状構造を採用し、前記左電極は第１貫通孔を有し、前記右電極は第２貫通孔を有し、前記第２貫通孔の縁辺が前記第１貫通孔の方向へ突出して位置限定部を形成し、前記位置限定部は、前記第１貫通孔を通り抜け、前記左電極及び前記右電極が互いに近接する最も近い位置及び互いに離れた最も遠い位置を制限するのに用いられることを特徴とする請求項１に記載のＥＣＧケーブル。
【請求項１０】
前記左電極は突出して配置された係止部を有し、前記係止部は前記位置限定部を通り抜けて前記第２貫通孔に対応する領域内に入り込み、前記係止部と前記第２貫通孔の孔壁とは前記電極リンカーをクランプするために用いられることを特徴とする請求項９に記載のＥＣＧケーブル。
【請求項１１】
前記接続部材はコネクタと前記コネクタに接続された２つの接続脚とを含み、前記左電極及び前記右電極は、それぞれ１つの接続脚に接続されていることを特徴とする請求項１−１０のいずれか一項に記載のＥＣＧケーブル。
【請求項１２】
前記接続部材は略Ｙ字構造をしていることを特徴とする請求項１１に記載のＥＣＧケーブル。
【請求項１３】
前記接続部材はコネクタと前記コネクタに接続された１つの接続脚とを含み、前記カバーは対向して配置された２つのカバー脚を形成し、前記接続脚の外側が１つのカバー脚に包み込まれ、前記左電極及び前記右電極の一方は前記接続脚に接続され、他方は前記接続脚を被覆していない蓋体脚に固定されていることを特徴とする請求項１−１０のいずれか一項に記載のＥＣＧケーブル。
【請求項１４】
前記電極クリップは取り付け間違い防止バッフル板を有し、前記取り付け間違い防止バッフル板は収容孔以外の隙間に延び、前記電極リンカーの取り付け間違いを避けることを特徴とする請求項１−１３のいずれか一項に記載のＥＣＧケーブル。
【請求項１５】
前記接続部材は接続溝を有し、前記接続線は前記接続溝内に固定して取り付けられることを特徴とする請求項１−１４のいずれか一項に記載のＥＣＧケーブル。
【請求項１６】
前記左電極と前記右電極とで形成された収容孔は閉鎖孔構造であることを特徴とする請求項１−１５のいずれか一項に記載のＥＣＧケーブル。
【請求項１７】
前記接続部材、前記左電極及び前記右電極は導電性金属材料により一体成形されていることを特徴とする請求項１−１６のいずれか一項に記載のＥＣＧケーブル。
【請求項１８】
前記カバーにはラベルが取り付けられ、前記ラベルで医療関係者が標識に従って電極リンカーに接続するように指示することを特徴とする請求項１−１７のいずれか一項に記載のＥＣＧケーブル。
【考案の詳細な説明】
【技術分野】
【０００１】
本出願は心電装置に関し、具体的にはＥＣＧ（心電図）ケーブルの構造に関する。
【背景技術】
【０００２】
科学技術の発展と医療レベルの向上とに伴い、心電モニターと心電図機とは医療モニターと検出設備としてますます重要になっている。一般に、本体装置、信号伝送部及び信号採集部は、心電モニターと検出における三重要部分である。信号採集部と信号伝送部との間は通常電極クリップで接続される。市販されている既存の電極クリップはクランプ式、ボタン式、バナナプラグなどいくつかの方式におおよそ分けられる。しかしながら、メーカ別に作製した電極リンカーの寸法が統一されていないため、あるメーカの作製した電極リンカーに同じメーカの組み合わせの電極クリップを採用していない場合、配合時の接触不良の問題になりやすく、信号伝送の不安定或いは中断を招き、心電モニター及び検出データの正確性と安定性とに影響し、同時に医療関係者の操作に不便をもたらす。
【考案の概要】
【０００３】
本出願は新型のＥＣＧ（electrocardiogram）ケーブルを提供する。
【０００４】
本出願の一態様によれば、一実施例では、以下のような電極クリップとカバーと接続線とを含むＥＣＧケーブルが提供される。
【０００５】
前記電極クリップは、接続部材、左電極及び右電極を含み、前記左電極及び前記右電極のうち少なくとも１つは接続部材に接続され、前記左電極及び前記右電極が積層して配置されることによって、電極リンカーが貫通するための収容孔が形成され、前記左電極及び前記右電極のうち少なくとも１つが弾性材料を用いて作製され、及び／又は弾性部材によって駆動され、前記左電極及び前記右電極が外力によって相対移動することで収容孔を拡大し、且つ弾性力によって相対移動することで収容孔を縮小し、電極リンカーをクランプする。
【０００６】
前記カバーは、電極クリップの外部を包み、前記左電極の少なくとも一部と前記右電極の少なくとも一部とはカバーから露出する。
【０００７】
前記接続線は、電極クリップの接続部材と電気的に接続され、電気信号を伝送する。
【０００８】
前記ＥＣＧケーブルの更なる改良として、前記左電極と前記右電極とはシート状構造を採用し、前記左電極は第１貫通孔を有し、前記右電極は第２貫通孔を有し、前記第１貫通孔と第２貫通孔とは位置ずれするように積層して配置され、前記第１貫通孔と第２貫通孔とを部分的に重ならせ、重なった部分に収容孔が形成されている。
【０００９】
ＥＣＧケーブルの更なる改良として、前記左電極と前記右電極とは線状構造を採用する。
【００１０】
前記ＥＣＧケーブルの更なる改良として、前記左電極と前記右電極との線状構造はそれぞれＵ字型を形成し、前記左電極のＵ字型と前記右電極のＵ字型とは底部は互いにずれるように底部が内側に向かって積層して配置されることによって、前記収容孔を形成している。
【００１１】
前記ＥＣＧケーブルの更なる改良として、前記電極クリップは第１位置決め構造を有し、前記第１位置決め構造は、収容孔を小さくする方向における左電極及び右電極の相対移動を阻止することによって、収容孔の最小空間を規定するために用いられる。
【００１２】
前記ＥＣＧケーブルの更なる改良として、前記第１位置決め構造は左電極又は右電極に配置された第１凸部を含み、前記第１凸部は、右電極又は左電極の移動経路に対応して配置されている。
【００１３】
前記ＥＣＧケーブルの更なる改良として、前記電極クリップは第２位置決め構造を有し、前記第２位置決め構造は、収容孔を大きくする方向における左電極及び／又は右電極の移動を阻止することによって、収容孔の最大空間を規定するために用いられる。
【００１４】
前記ＥＣＧケーブルの更なる改良として、前記第２位置決め構造は左電極又は右電極に配置された第２凸部を含み、前記第２凸部は、右電極又は左電極の移動経路に対応して配置されている。
【００１５】
前記ＥＣＧケーブルの更なる改良として、前記左電極と右電極とはシート状構造を採用し、前記左電極は第１貫通孔を有し、前記右電極は第２貫通孔を有し、前記第２貫通孔の縁辺が第１貫通孔の方向へ突出して位置限定部を形成し、前記位置限定部は、第１貫通孔を通り抜け、左電極及び右電極が互いに近接する最も近い位置及び互いに離れた最も遠い位置を制限するのに用いられる。
【００１６】
前記ＥＣＧケーブルの更なる改良として、前記左電極は突出して配置された係止部を有し、前記係止部は前記位置限定部を通り抜けて第２貫通孔に対応する領域内に入り込み、前記係止部と第２貫通孔の孔壁とは前記電極リンカーをクランプするために用いられる。
【００１７】
前記ＥＣＧケーブルの更なる改良として、前記接続部材はコネクタとコネクタに接続された２つの接続脚とを含み、前記左電極及び右電極は、それぞれ１つの接続脚に接続されている。
【００１８】
前記ＥＣＧケーブルの更なる改良として、前記接続部材は略Ｙ字構造をしている。
【００１９】
前記ＥＣＧケーブルの更なる改良として、前記接続部材はコネクタとコネクタに接続された１つの接続脚とを含み、前記カバーは対向して配置された２つのカバー脚を形成し、前記接続脚の外側が１つのカバー脚に包み込まれ、前記左電極及び右電極の一方は接続脚に接続され、他方は接続脚を被覆していない蓋体脚に固定されている。
【００２０】
ＥＣＧケーブルの更なる改良として、前記電極クリップは取り付け間違い防止バッフル板を有し、前記取り付け間違い防止バッフル板は収容孔以外の隙間に延び、電極リンカーの取り付け間違いを避けるために用いられる。
【００２１】
前記ＥＣＧケーブルの更なる改良として、前記接続部材は接続溝を有し、前記接続線は接続溝内に固定して取り付けられる。
【００２２】
前記ＥＣＧケーブルの更なる改良として、前記左電極と右電極とで形成された収容孔は閉鎖孔構造である。
【００２３】
前記ＥＣＧケーブルの更なる改良として、前記接続部材、左電極及び右電極は導電性金属材料により一体成形されている。
【００２４】
前記ＥＣＧケーブルの更なる改良として、前記カバーにはラベルが取り付けられ、前記ラベルで医療関係者が標識に従って電極リンカーに接続するように指示する。
【００２５】
上述した実施例のＥＣＧケーブルによれば、左電極と右電極とが積層して配置されることによって、電極リンカーが貫通するための収容孔が形成され、当該左電極及び右電極のうち少なくとも１つが弾性材料を用いて作製され、及び／又は弾性部材によって駆動され、左電極及び右電極が外力によって相対移動することで収容孔を拡大し、且つ弾性力によって相対移動することで収容孔を縮小する。当該収容孔の大きさを変化させることができるため、当該電極クリップは市販の複数サイズの電極リンカーにフィットさせ、接続を強固にすることができ、信号伝送の安定性を確保できる。
【図面の簡単な説明】
【００２６】
【図１】図１は、本出願に係るＥＣＧケーブルの第１実施例の概略構成図である。
【図２】図２は、本出願に係るＥＣＧケーブルの第１実施例の概略構成図である。
【図３】図３は、図１及び図２に示す実施例におけるＥＣＧケーブルと接続線との概略構成図である。
【図４】図４は、本出願に係るＥＣＧケーブルの第２実施例の概略構成図である。
【図５】図５は、図４に示す実施例におけるＥＣＧケーブルと接続線との概略構成図である。
【図６】図６は、本出願に係るＥＣＧケーブルの第３実施例の概略構成図である。
【図７】図７は、本出願に係るＥＣＧケーブルの第３実施例の概略構成図である。
【図８】図８は、図６及び図７に示す実施例におけるＥＣＧケーブルと接続線との概略構成図である。
【図９】図９は、本出願に係るＥＣＧケーブルの第４実施例の概略構成図である。
【図１０】図１０は、図９に示す実施例におけるＥＣＧケーブルと接続線との概略構成図である。
【図１１】図１１は、本出願に係るＥＣＧケーブルの第５実施例の概略構成図である。
【図１２】図１２は、図１１に示す実施例におけるＥＣＧケーブルと接続線との概略構成図である。
【図１３】図１３は、本出願に係るＥＣＧケーブルの第６実施例の概略構成図である。
【図１４】図１４は、図１３に示す実施例におけるＥＣＧケーブルと接続線との概略構成図である。
【考案を実施するための形態】
【００２７】
以下、具体的な実施形態を介して図面と併せて本考案について更に詳細に説明する。異なる実施形態には、類似する素子は、関連する類似の素子符号を採用している。以下の実施形態において、詳細な説明の多くは、本出願をより良く理解するためのものである。しかしながら、当業者であれば、一部の特徴は、異なる場合には省略されてもよく、又は、他の要素、材料、方法によって代替されてもよいことを、難なく認識することができる。ある状況で、本出願と関連した一部の操作は、明細書に提示又は描写されなかった。これは本明細書の核心部分が過剰な説明に埋もれないようにするためであり、当業者にとっては、これらの関連の操作の詳細な描写が必要なわけではなく、彼らは明細書の中の記述と当分野の一般的な技術知識によって完全に関連する操作を了解することができる。
【００２８】
更に、本明細書に記載された特点、操作、又は特徴は、任意の適切な方法で結合されて様々な実施形態を形成することができる。同時に、方法記述における各ステップ又は動作は、当業者には明白な方法で、順序の入れ替え又は調整が行われてもよい。したがって、明細書及び図面における様々な順序は、ある実施例を明確に説明するためだけのものであり、特にいずれかの順序に従わなければならないという説明が記載されていない限り、必須の順序であることを意味しない。
【００２９】
ここでは部品の番号自体、例えば、「第２」、「第１」など、単に説明されたオブジェクトを区別するために使用され、順序や技術的意味はない。なお、ここでいう「接続」、「連結」とは、特に説明されていない限り、いずれも直接的と間接的な接続（連結）とを含む。
【００３０】
実施例１
本実施例では、信号採集部と接続し、信号採集部で採集された電気信号を本体装置に伝送するためのＥＣＧケーブルを提供する。
【００３１】
図１−３を参照すると、当該ＥＣＧケーブルは、電極クリップ１００、カバー２００、及び接続線３００を含む。電極クリップ１００は、電極リンカーと直接接触して電極リンカーで採集された電気信号を接続線３００に伝送し、そして接続線３００を介して本体部に伝送して処理するのに用いられる。
【００３２】
当該電極クリップ１００は、接続部材１１０、左電極１２０及び右電極１３０を含む。左電極１２０と右電極１３０のうち少なくとも１つは接続部材１１０に接続され、接続部材１１０は接続線３００に接続されて電気信号を伝送するために用いられる。左電極１２０と右電極１３０とが積層して配置されることによって、電極リンカーが貫通するための収容孔１０１が形成されている。電極リンカーを固定するとき、収容孔１０１の孔壁は、孔径の変化を利用して電極リンカーを挟み、電極リンカーへの固定を実現する。
【００３３】
ここで。左電極１２０及び右電極１３０のうち少なくとも１つが弾性材料を用いて作製され、及び／又は弾性部材によって駆動され、左電極１２０及び右電極１３０が外力によって相対移動することで収容孔１０１が拡大する。これによって電極リンカーが入れやすくなる。外力がなくなった後、左電極１２０及び右電極１３０は、弾性力によって相対移動することで収容孔１０１を縮小し、電極リンカーをクランプする。
【００３４】
収容孔１０１の大きさを変化させることができるため、電極クリップ１００は市販の複数サイズの電極リンカーにフィットする。例えば、左電極１２０及び右電極１３０が外力によって相対移動することで収容孔１０１を拡大し、これにより、収容孔１０１内に異なるサイズの電極リンカーが挿入される。外力がなくなった後、電極クリップ１００の弾性回復力は、左電極１２０及び右電極１３０を元の位置に戻して収容孔１０１を縮小させ、電極リンカーをクランプして接続を強固にし、信号伝送の安定性を保証する。
【００３５】
カバー２００は、電極クリップ１００と接続線３００との外部を被覆する。ここで、左電極１２０の少なくとも一部と右電極１３０の少なくとも一部とはカバー２００から露出する。カバー２００は、射出成形により電極クリップ１００と接続線３００とを被覆することができ、電極クリップ１００、接続線３００、及びカバー２００を一体とし、製造加工を容易にし、電極クリップ１００と接続線３００とをしっかりと接続することができる。カバー２００は、通常、絶縁材料を用いて作製され、電極クリップ１００が外部と遮断されることを保証するとともに、接続線３００を振るときに一定の靭性を持たせ、接続線３００の配線シース損傷を回避することができる。
【００３６】
図１〜図３を続けて参照すると、一実施例において、左電極１２０と右電極１３０とで形成された収容孔１０１は閉鎖孔構造である。このような閉鎖された収容孔１０１は、左電極１２０と右電極１３０とにより形成される。開口式のノッチ構造に対して、このような閉鎖孔構造は、電極リンカーが装着後に収容孔１０１内から落ちにくく、操作者の利便性を向上させる。
【００３７】
更に、図１〜図３を続けて参照すると、一実施例において、左電極１２０及び右電極１３０はシート状構造を採用している。左電極１２０は第１貫通孔１２１を有し、右電極１３０は第２貫通孔１３１を有し、第１貫通孔１２１と第２貫通孔１３１とは位置ずれするように積層して配置され、第１貫通孔１２１と第２貫通孔１３１とを少なくとも部分的に重ならせ、重なった部分は収容孔１０１が形成されている。左電極１２０と右電極１３０とが相対移動するとき、第１貫通孔１２１と第２貫通孔１３１との重なった部分が大きくなったり小さくなったりする。すなわち、収容孔１０１は、左電極１２０と右電極１３０とが相対移動するに従って、異なるサイズの電極リンカーに対応するように大きさを変えることができる。
【００３８】
図３を参照すると、一実施例において、接続部材１１０、左電極１２０及び右電極１３０は、導電性金属材料を用いて一体成形されている。他の実施例において、接続部材１１０、左電極１２０及び右電極１３０は、分離構造であって、最後に固定的に一体に接続されてもよい。
【００３９】
更に、一部の実施例において、電極クリップ１００は第１位置決め構造を有し、当該第１位置決め構造は、収容孔１０１を小さくする方向における左電極１２０及び右電極１３０の相対移動を阻止することによって、収容孔１０１の最小空間を規定するために用いられる。
【００４０】
図３に示すように、左電極１２０及び右電極１３０が両側に移動するとき、収容孔１０１が小さくなり、従って当該第１位置決め構造は、左電極１２０及び右電極１３０のうちの少なくとも一方が両側に移動する方向に配置されている。当該第１位置決め構造に左電極１２０や右電極１３０が移動すると、これ以上移動できなくなり、収容孔１０１が小さくならないように、電極クリップ１００の変形が過度になることによる破損を回避するとともに、左電極１２０と右電極１３０との位置ずれが多すぎることによる収容孔１０１として囲んで成すことができないことも回避する。
【００４１】
一部の実施例において、当該第１位置決め構造は左電極１２０又は右電極１３０に配置された第１凸部を含み、当該第１凸部は、右電極１３０又は左電極１２０の移動経路に対応して配置されている。
【００４２】
図３を参照して、一実施例において、第１凸部１０２は右電極１３０に配置され、左電極１２０のある側に突出して配置され、且つ左電極１２０から飛び出ている。第１凸部１０２は、左電極１２０の左側に位置決めを形成する。左電極１２０が第１凸部１０２の位置まで左に移動すると、左電極１２０及び右電極１３０の相対的な移動はなくなり、このとき、収容孔１０１の最小サイズとなる。
【００４３】
更に、一部の実施例において、電極クリップ１００は第２位置決め構造を有し、当該第２位置決め構造は、収容孔１０１を大きくする方向における左電極１２０及び／又は右電極１３０の移動を阻止することによって、収容孔１０１の最大空間を規定するために用いられる。
【００４４】
同じく、当該第２位置決め構造は左電極１２０又は右電極１３０に配置された第２凸部を含み、第２凸部は、右電極１３０又は左電極１２０の移動経路に対応して配置されている。
【００４５】
図３に示すように、左電極１２０及び右電極１３０が中央に移動すると、収容孔１０１が大きくなり、従って当該第２位置決め構造は、左電極１２０及び右電極１３０のうちの少なくとも一方が中央に移動する方向に配置されている（図３には示されていないが、当業者の理解には影響しない）。当該第２位置決め構造に左電極１２０や右電極１３０が移動すると、これ以上移動できなくなり、収容孔１０１が大きくならないように、電極クリップ１００の変形が過度になることによる破損を回避するとともに、左電極１２０と右電極１３０との位置ずれが大きすぎることによって収容孔１０１が形成されないことも回避する。
【００４６】
当該第１位置決め構造と第２位置決め構造とは、別々に配置されてもよいし、一体に接続されていてもよく、例えば突出した環状の構造を形成していてもよい。
【００４７】
更に、図２と図３を参照すると、一実施例において、接続部材１１０はコネクタ１１１とコネクタ１１１に接続された２つの接続脚１１２とを含み、左電極１２０及び右電極１３０は、それぞれ１つの接続脚１１２に接続されている。カバー２００は、コネクタ１１１及び接続脚１１２に嵌設され、２つのカバー脚２０１、２０２を形成する。
【００４８】
接続部材１１０は、略Ｙ字の構造をしている。コネクタ１１１は、Ｙ字構造の下部支持部であり、２つの接続脚１１２は、それぞれＹ字構造の２つの分岐である。左電極１２０と右電極１３０とが相対移動するとき、２つの接続脚１１２が変形する。外力がなくなったとき、接続脚１１２は、左電極１２０及び右電極１３０が元の位置に戻るための弾性回復力を提供する（左電極１２０及び右電極１３０自身も弾性回復力を有することができる）。
【００４９】
接続部材１１０は接続溝を有し、接続線３００は接続溝内に固定して取り付けられる。具体的には、接続溝は、コネクタ１１１に配置されていてもよい。電極クリップ１００は、リベット締めで接続線３００と接続されることにより、接続の堅牢性と信頼性とを向上させることができる。
【００５０】
一方、電極クリップ１００は、通常、コストを節約するために、部材の形状や移動に適合するために、多くの隙間を有する。操作者は電極リンカーをこれらの隙間に誤挿入しやすく、電極リンカーの取り付け間違いを招く。図１及び図３を参照すると、一実施例において、電極クリップ１００は取り付け間違い防止バッフル板１０３を有している。取り付け間違い防止バッフル板１０３は収容孔１０１以外の隙間に延び、電極リンカーの取り付け間違いを避ける。
【００５１】
図１及び図３において、取り付け間違い防止バッフル板１０３は右電極１３０と一体成形されている。他の実施例において、取り付け間違い防止バッフル板１０３は、例えば左電極１２０、接続部材１１０などのように、電極クリップ１００の他の位置に配置されてもよい。図１及び図３において、取り付け間違い防止バッフル板１０３は、Ｙ字接続部材１１０のＶ字状の隙間に配置され、当該Ｖ字状の隙間を遮断し、当該空隙内に電極リンカーを入れられないようにしている。
【００５２】
更に、図１と図２を参照すると、一実施例において、カバー２００にはラベル２０３が配置され、ラベル２０３で医療関係者が標識に従って電極リンカーに接続するように指示する。ラベル２０３は、貼り付け又はインサートブロックとして直接金型に刻印され（射出成形カバー２００の場合に表示される）、医療関係者に文字の標識に従って対応する電極リンカーを接続するように指示し、操作の正確性と効率とを高める。
【００５３】
実施例２
本実施例２では、別のＥＣＧケーブルが提供される。
【００５４】
図４及び図５を参照すると、本実施例で示したＥＣＧケーブルと実施１との違いは以下の通りである。左電極１２０及び右電極１３０はシート状構造を採用している。左電極１２０は、第１貫通孔１２１を有し、右電極１３０は、第２貫通孔１３１を有する。第２貫通孔１３１は、第１貫通孔１２１内に位置している。第２貫通孔１３１の縁辺が第１貫通孔１２１の方向へ突出して位置限定部１３２を形成し、位置限定部１３２は、第１貫通孔１２１を通り抜け、左電極１２０及び右電極１３０が互いに近接する最も近い位置及び互いに離れた最も遠い位置を制限するのに用いられる。
【００５５】
位置限定部１３２は、環状構造（閉じている又は閉じていない）を形成することができ、且つ第１貫通孔１２１の中に位置している。従って、位置限定部１３２は、実施例１で説明した第１位置決め構造と第２位置決め構造との機能を併せ持ち、電極クリップ１００の構造を簡素化するとともに、位置決めの役割も果たす。
【００５６】
更に、図４と図５を参照すると、一実施例において、左電極１２０は突出して配置された係止部１２２を有し、係止部１２２は位置限定部１３２を通り抜けて第２貫通孔１３１に対応する領域内に入り込み、係止部１２２と第２貫通孔１３１の孔壁とはいわゆる収容孔１０１を形成して、電極リンカーをクランプするために用いられる。係止部１２２は、左電極１２０の移動に伴って移動し、移動するとき、第２貫通孔１３１に差し込む長さが変化するため、第２貫通孔１３１の孔壁とで限定された収容孔１０１の大きさも変化し、異なるサイズの電極リンカーに適用可能である。
【００５７】
なお、図４に示すように、取り付け間違い防止バッフル板１０３は、実施例１とは異なる形状であってもよい。
【００５８】
実施例３
本実施例３では、別のＥＣＧケーブルが提供される。
【００５９】
図６−８を参照すると、本実施例で示されたＥＣＧケーブルと実施例２との相違は、第２貫通孔１３１の孔壁を孔の外ほど径が大きい円弧状形状１３３とすることで、ガイド電極リンカーが第２貫通孔１３１内にスムーズに挿入され、操作者が目で見る必要がなく、手触りだけで接続できるようになっている。
【００６０】
また、本実施例が提供するＥＣＧケーブルでは、取り付け間違い防止バッフル板１０３は、実施例１と同様の形状を採用している。
【００６１】
実施例４
本実施例４では、別のＥＣＧケーブルが提供される。
【００６２】
図９−１０を参照すると、本実施例で示されたＥＣＧケーブルと実施例１との相違は、接続部材１１０はコネクタ１１１とコネクタ１１１に接続された１つの接続脚１１２とを含む。カバー２００は対向して配置された２つのカバー脚２０１、２０２を形成し、接続脚１１２の外側が１つのカバー脚２０２に包み込まれ、左電極１２０及び右電極１３０の一方は接続脚１１２に接続され、他方は接続脚１１２を被覆していない蓋体脚２０１に固定されている。
【００６３】
具体的には、図１０を参照すると、右電極１３０は接続部材１１０の接続脚１１２に固定され、左電極１２０はカバー２００のカバー脚２０１に固定して接続されている。カバー２００自身は一定の弾性を有しているため、左電極１２０にも弾性回復力を提供することができる。
【００６４】
もちろん、左電極１２０を接続体１１０の接続脚１１２に固定し、右電極１３０をカバー２００のカバー脚２０１に固定して接続してもよい。
【００６５】
実施例５
図１１−１２を参照すると、本実施例で示されたＥＣＧケーブルは実施例２に基づいて更に改善される。具体的には、接続部材１１０はコネクタ１１１とコネクタ１１１に接続された１つの接続脚１１２とを含む。カバー２００は対向して配置された２つのカバー脚２０１、２０２を形成し、接続脚１１２の外側が１つのカバー脚２０２に包み込まれ、左電極１２０及び右電極１３０の一方は接続脚１１２に接続され、他方は接続脚１１２を被覆していない蓋体脚２０１に固定されている。
【００６６】
図１２を参照すると、右電極１３０は接続部材１１０の接続脚１１２に固定され、左電極１２０はカバー２００のカバー脚２０１に固定して接続されている。カバー２００自身は一定の弾性を有しているため、左電極１２０にも弾性回復力を提供することができる。
【００６７】
もちろん、左電極１２０を接続体１１０の接続脚１１２に固定し、右電極１３０をカバー２００のカバー脚２０１に固定して接続してもよい。
【００６８】
実施例６
本実施例６では、別のＥＣＧケーブルが提供される。
【００６９】
図１３−１４を参照すると、本実施例に示すＥＣＧケーブルは、電極クリップ１００の左電極１２０と右電極１３０とが線状構造を採用している点で、実施例１〜５とは異なる。当該線状構造の左電極１２０と右電極１３０とが積層して配置されることによって、電極リンカーが貫通するための収容孔１０１が形成され、電極リンカーを固定するとき、収容孔１０１の孔壁は、孔径の変化を利用して電極リンカーを挟み、電極リンカーへの固定を実現する。
【００７０】
具体的には、図１４を参照すると、一実施例において、左電極１２０と右電極１３０との線状構造はそれぞれＵ字型を形成し、左電極１２０のＵ字型と右電極１３０のＵ字型とは底部が互いにずれるように底部が内側に向かって積層して配置されることによって、収容孔１０１を形成している。
【００７１】
電極クリップ１００の接続部材１１０、左電極１２０及び右電極１３０は、一体の線状構造で作製することができる。接続部材１１０、左電極１２０及び右電極１３０は、電気信号を伝送するだけでなく、ワイヤーの弾性により元の位置に戻ることができる等、導電可能な金属材料を採用している。
【００７２】
以上、具体的な例を用いて本考案について詳述したが、本考案の理解を深めるためのものにすぎず、本考案を限定するものではない。本考案が属する分野の当業者は、本考案の趣旨に基づいて、ほかの複数の簡単な演繹、変形又は置換を行うことができる。
【図１】
0003231644.tif 000003
【図２】
0003231644.tif 000004
【図３】
0003231644.tif 000005
【図４】
0003231644.tif 000006
【図５】
0003231644.tif 000007
【図６】
0003231644.tif 000008
【図７】
0003231644.tif 000009
【図８】
0003231644.tif 000010
【図９】
0003231644.tif 000011
【図１０】
0003231644.tif 000012
【図１１】
0003231644.tif 000013
【図１２】
0003231644.tif 000014
【図１３】
0003231644.tif 000015
【図１４】
0003231644.tif 000016
【手続補正書】
【提出日】令和2年12月25日(2020.12.25)
【手続補正１】
【補正対象書類名】実用新案登録請求の範囲
【補正対象項目名】全文
【補正方法】変更
【補正の内容】
【実用新案登録請求の範囲】
【請求項１】
電極クリップと、カバーと、接続線とを備えたＥＣＧケーブルであって、
前記電極クリップは、接続部材、左電極及び右電極を含み、前記左電極及び前記右電極のうち少なくとも１つは接続部材に接続され、前記左電極及び前記右電極が積層して配置されることによって、電極リンカーが貫通するための収容孔が形成され、前記左電極及び前記右電極のうち少なくとも１つが弾性材料を用いて作製され、及び／又は弾性部材によって駆動され、前記左電極及び前記右電極が外力によって相対移動することで収容孔を拡大し、且つ弾性力によって相対移動することで収容孔を縮小し、電極リンカーをクランプし、前記電極クリップは第１位置決め構造を有し、前記第１位置決め構造は、収容孔を小さくする方向における前記左電極及び前記右電極の相対移動を阻止することによって、前記収容孔の最小空間を規定し、
前記カバーは、電極クリップの外部を包み、前記左電極の少なくとも一部と前記右電極の少なくとも一部とはカバーから露出し、
前記接続線は、電極クリップの接続部材と電気的に接続され、電気信号を伝送するＥＣＧケーブル。
【請求項２】
前記左電極と前記右電極とはシート状構造を採用し、前記左電極は第１貫通孔を有し、前記右電極は第２貫通孔を有し、前記第１貫通孔と第２貫通孔とは位置ずれするように積層して配置され、前記第１貫通孔と第２貫通孔とを部分的に重ならせ、重なった部分に収容孔が形成されていることを特徴とする請求項１に記載のＥＣＧケーブル。
【請求項３】
前記左電極と前記右電極とは線状構造を採用し、前記左電極及び前記右電極の線状構造はそれぞれＵ字型を形成し、前記左電極のＵ字型と前記右電極のＵ字型とは底部は互いにずれるように底部が内側に向かって積層して配置されることによって、前記収容孔を形成していることを特徴とする請求項１に記載のＥＣＧケーブル。
【請求項４】
前記第１位置決め構造は前記左電極又は前記右電極に配置された第１凸部を含み、前記第１凸部は、前記右電極又は前記左電極の移動経路に対応して配置されていることを特徴とする請求項１に記載のＥＣＧケーブル。
【請求項５】
前記電極クリップは第２位置決め構造を有し、前記第２位置決め構造は、収容孔を大きくする方向における前記左電極及び／又は前記右電極の移動を阻止することによって、収容孔の最大空間を規定するために用いられることを特徴とする請求項１に記載のＥＣＧケーブル。
【請求項６】
前記第２位置決め構造は前記左電極又は前記右電極に配置された第２凸部を含み、前記第２凸部は、前記右電極又は前記左電極の移動経路に対応して配置されていることを特徴とする請求項５に記載のＥＣＧケーブル。
【請求項７】
前記左電極と前記右電極とはシート状構造を採用し、前記左電極は第１貫通孔を有し、前記右電極は第２貫通孔を有し、前記第２貫通孔の縁辺が前記第１貫通孔の方向へ突出して位置限定部を形成し、前記位置限定部は、前記第１貫通孔を通り抜け、前記左電極及び前記右電極が互いに近接する最も近い位置及び互いに離れた最も遠い位置を制限するのに用いられることを特徴とする請求項１に記載のＥＣＧケーブル。
【請求項８】
前記左電極は突出して配置された係止部を有し、前記係止部は前記位置限定部を通り抜けて前記第２貫通孔に対応する領域内に入り込み、前記係止部と前記第２貫通孔の孔壁とは前記電極リンカーをクランプするために用いられることを特徴とする請求項７に記載のＥＣＧケーブル。
【請求項９】
前記接続部材はコネクタと前記コネクタに接続された２つの接続脚とを含み、前記左電極及び前記右電極は、それぞれ１つの接続脚に接続されていることを特徴とする請求項１−８のいずれか一項に記載のＥＣＧケーブル。
【請求項１０】
前記接続部材はコネクタと前記コネクタに接続された１つの接続脚とを含み、前記カバーは対向して配置された２つのカバー脚を形成し、前記接続脚の外側が１つのカバー脚に包み込まれ、前記左電極及び前記右電極の一方は前記接続脚に接続され、他方は前記接続脚を被覆していない蓋体脚に固定されていることを特徴とする請求項１−８のいずれか一項に記載のＥＣＧケーブル。
【請求項１１】
前記電極クリップは取り付け間違い防止バッフル板を有し、前記取り付け間違い防止バッフル板は収容孔以外の隙間に延び、前記電極リンカーの取り付け間違いを避けることを特徴とする請求項１−８のいずれか一項に記載のＥＣＧケーブル。
【請求項１２】
前記左電極と前記右電極とで形成された収容孔は閉鎖孔構造であることを特徴とする請求項１−８のいずれか一項に記載のＥＣＧケーブル。